(57)【要約】【課題】流体媒質の少なくとも１つの成分を抜き取るための方法および装置を、成分を抜き取る効率が上昇するように更に開発する。【解決手段】本発明は、流体媒質の少なくとも１つの成分を抜き取るための方法であって、少なくとも１つの被抜取成分の濃度をその除去前に上昇させる方法に関する。本発明は、さらに、流体媒質の少なくとも１つの成分を抜き取るための装置であって、流体媒質の被除去成分濃度を上昇させるための濃度上昇ユニットと、濃度上昇ユニットの下流に設けられた抜取ユニットとを備え、抜取ユニットは、濃度度上昇ユニットと液体接続されており、被抜取成分の濃度を後に低減するために使用される装置に関する。【選択図】図２ａ
2008519622.tif 000002
【特許請求の範囲】
【請求項１】
流体媒質の少なくとも１つの成分を抜き取るための方法であって、
上記流体媒質中の少なくとも１つの被抜取成分を抜き取る前に該少なくとも１つの被抜取成分の濃度を上昇させることにより、上記少なくとも１つの成分の抜き取りの効率を上げることを特徴とする方法。
【請求項２】
上記流体媒質が液体、特に、血液または血漿であることを特徴とする請求項１に記載の方法。
【請求項３】
上記被抜取成分の濃度を、
熱力学的な相平衡の設定に基づく分離方法、および／または、
膜方法、好ましくは、濾過または限外濾過
によって上昇させることを特徴とする請求項１または２に記載の方法。
【請求項４】
上記被抜取成分の濃度を上昇させるために分離された媒体を、上記被抜取成分の抜き取り後に上記流体媒質に戻す、または、
上記被抜取成分の抜き取り後に、置換媒体を上記流体媒質に供給する
ことを特徴とする請求項１〜３のいずれか１項に記載の方法。
【請求項５】
上記流体媒質は、上記被抜取成分の抜き取りの際に抜き取られない少なくとも１つの成分を含み、
上記被抜取成分の濃度を上昇させるために分離された媒体または上記置換溶液を、上記抜き取り後、上記分離された媒体または上記置換媒体の追加後の上記流体媒体の非抜取成分の濃度が濃度上昇前の該成分の濃度にほぼ一致するような量で、上記流体媒質に供給することを特徴とする請求項４に記載の方法。
【請求項６】
上記被抜取成分の抜き取りを、
熱力学的な相平衡の設定に基づく分離プロセス、好ましくは吸着、および／または、
膜プロセス、好ましくは透析
によって行うことを特徴とする請求項１〜５のいずれか１項に記載の方法。
【請求項７】
患者に接続されている、または、患者に接続することのできる体外回路によって実施することを特徴とする請求項１〜６のいずれか１項に記載の方法。
【請求項８】
上記体外回路に血漿濾過器が設けられ、
上記流体媒質が、上記血漿濾過器によって血液から分離された血漿、または、分取された血漿であることを特徴とする請求項７に記載の方法。
【請求項９】
上記被抜取成分の濃度を限外濾過により上昇させ、上記限外濾過器を透析に使用することを特徴とする請求項１〜８のいずれか１項に記載の方法。
【請求項１０】
上記流体媒質が、血液または血漿であり、
上記少なくとも１つの被抜取成分が、アルブミン結合物質、免疫グロブリン、インターロイキン、またはＬＤＬコレステロール（低密度リポ蛋白コレステロール）であることを特徴とする請求項１〜９のいずれか１項に記載の方法。
【請求項１１】
流体媒質の少なくとも１つの成分を抜き取るための装置であって、
上記流体媒質の被抜取成分の濃度を上昇させるための濃度上昇ユニットと、
上記濃度上昇ユニットの下流に設けられ、且つ、上記濃度上昇ユニットと液体接続されている、上記被抜取成分の濃度を後に低減するための抜取ユニットとを備え、
上記濃度上昇ユニットが、上記流体媒質中の上記被抜取成分の濃度を上昇するように構成されていることを特徴とする装置。
【請求項１２】
上記濃度上昇ユニットは、
熱力学的な相平衡の設定に基づいた分離効率を有する分離装置、および／または、
膜装置、好ましくは限外濾過器
として構成されていることを特徴とする請求項１１に記載の装置。
【請求項１３】
上記抜取ユニットは、
熱力学的な相平衡の設定に基づいた分離効率を有する分離装置、好ましくは吸着器、および／または、
膜装置、好ましくは透析器
として構成されていることを特徴とする請求項１１または１２に記載の装置。
【請求項１４】
血液、もしくは、１つまたは複数の血液成分を導くための体外回路を更に備え、該体外回路に、上記濃度上昇ユニットと上記抜取ユニットとが配置されていることを特徴とする請求項１１〜１３のいずれか１項に記載の装置。
【請求項１５】
上記濃度上昇ユニットから枝分かれする線が上記抜取ユニットの下流で上記体外回路に合流していることを特徴とする請求項１４に記載の装置。
【請求項１６】
置換媒体の源と液体接続された線が上記抜取ユニットの下流で上記体外回路に合流していることを特徴とする請求項１４または１５に記載の装置。
【請求項１７】
上記体外回路は、第１回路と第２回路とを備え、
上記第１回路は、患者と液体接続されており、または、患者と液体接続することができ、
上記第２回路は、血漿濾過器を介して上記第１回路と接続されており、上記濃度上昇ユニットと上記抜取ユニットとを備えている
ことを特徴とする請求項１４〜１６のいずれか１項に記載装置。
【請求項１８】
上記濃度上昇ユニットに透析液回路が接続されていることを特徴とする請求項１１〜１７のいずれか１項に記載の装置。
【発明の詳細な説明】
【技術分野】
【０００１】
本発明は、流体媒質の少なくとも１つの成分を抜き取るための方法および装置に関する。
【背景技術】
【０００２】
多くの場合、液体混合物などの液体から個々の成分を分離するという目的があり、このために、非常に異なるプロセスを使用することができる。有用物質または有害物質を抜き取る方法の例としては、混合物の１つまたは複数の物質を吸着器に結合させて他の混合成分から分離する吸着がある。吸着の他に、例えば膜分離プロセスなどの他の数々の分離プロセスも知られている。
【発明の開示】
【発明が解決しようとする課題】
【０００３】
多くの場合、上記分離プロセスは、その効率が不十分である、または、分離プロセスの過程で低減する、という欠点を有している。例えば、吸着器を使用する場合、被分離成分を含む流体媒質の負荷が低い場合、吸着器はこの成分を比較的少量しか吸着せず、この場合、この分離プロセスの効率も低いという問題がある。同様のことが、例えば膜プロセスにも当てはまる。低濃度における膜プロセスの効率は、同様に比較的低い。
【０００４】
本発明の目的は、流体媒質の少なくとも１つの成分を抜き取るための方法および装置を、成分を抜き取る効率が上昇するように更に開発することである。
【課題を解決するための手段】
【０００５】
この目的は、請求項１の特徴を有する方法および請求項１１の特徴を有する装置によって達成される。したがって、少なくとも１つの被抜取成分の濃度を、その抜き取り前に上昇させることが考えられる。したがって、本発明の方法は、被抜取物質をその抜き取り前に濃縮するということに基づいている。したがって、吸着器または膜などの成分抜取手段により高い濃度が提供され、それゆえ、当該成分もより効率的に分離される。なぜなら、吸着器を使用する場合、吸着等温線によれば、流体媒質中の当該成分の濃度が高くなるにつれて、この成分による吸着器に対する負荷もより高くなるからである。同様に、膜プロセスまたは他の分離プロセスを使用する場合、被抜取成分の濃度を上昇させることで、分離がより効率的になる。本発明の方法および本発明の装置は、任意の抜取方法に使用することができる。
【０００６】
流体媒質は液体であってもよい。液体は、例えば血液または血漿である。
【０００７】
被抜取成分の濃度を、任意の分離プロセスにより上昇させることができる。熱力学的な相平衡の設定に基づく分離方法、および／または、膜方法、好ましくは濾過または限外濾過、が考えられる。第１グループの例としては、（非特異性結合としての）吸着や抗体との特異性結合（化学吸着）のような生理化学的な分離プロセスが挙げられる。
【０００８】
本発明の更に好ましい一観点では、成分の抜き取りの後に、濃度を上昇させるために分離した媒質を流体媒質に戻してもよい、または、成分の抜き取りの後に、置換媒体を流体媒質に供給してもよい。媒質を戻す、または、置換媒体を供給することの利点は、とりわけ、容積の維持である。どちらの場合にも、抜き取られない成分の濃度は、プロセスによって変更されない、または、全体的にほとんど変更されない。したがって、本発明の発展形態では、流体媒質は、被抜取成分の抜き取りの際に抜き取られない少なくとも１つの成分を含み、被抜取成分の濃度上昇の際に分離された媒体または置換媒体は、上記分離された媒体または上記置換媒体の追加後の上記流体媒質の非抜取成分の濃度が濃度上昇前のその成分の濃度にほぼ一致するような量で供給される。
【０００９】
しかしながら、分離された媒体または置換媒体を追加した後、非抜取媒体の濃度が濃度上昇前のその成分の濃度に一致しないことも考えられる。非抜取成分の濃度が変化しないままであるのか、または、全体として変化するのかは、物質に応じている。
【００１０】
基本的に、全体として被抜取成分の濃度だけを低減することができるが、これに対して、他の成分の濃度は、プロセスによって全体として何らかの変更がされることはない。
【００１１】
被抜取成分を任意の方法によって抜き取ることができる。例えば、物理化学的および機械的分離方法が考えられる。例としては、抽出、吸収、吸着、または、透析などの膜方法が挙げられる。
【００１２】
本発明の他の一観点では、プロセスを体外回路において実施してもよい。血漿濾過器は、体外回路に設けられていてもよく、流体媒質は、血漿濾過器によって血液から分離された血漿、または、分取された血漿であってもよい。したがって、分取された血漿を通過させる濾過器（例えば、「アルブフロー」は、アルブミンを通過させるが、免疫グロブリンを阻止する）も使用することができる。このように、血漿の吸着療法は、本発明の方法または本発明の装置を用いて行える。
【００１３】
本発明の他の一観点では、被抜取成分の濃度を限外濾過により上昇させ、限外濾過器を透析のために使用してもよい。肝補助療法などでのように透析により小分子を排除する必要があるならば、限外濾過器を透析と適宜任意に併用することもできる。
【００１４】
本発明の他の一観点では、流体媒質は血液または血漿であり、少なくとも１つの被抜取成分はアルブミン結合物質、免疫グロブリン、インターロイキン、または、ＬＤＬコレステロール（低密度リポ蛋白コレステロール）であってもよい。
【００１５】
さらに、本発明は、流体媒質の少なくとも１つの成分を抜き取るための装置に関する。この装置は、濃度上昇ユニットと、濃度上昇ユニットの下流に配置された抜取ユニットとを備えている。濃度上昇ユニットは、流体媒質の被抜取成分の濃度を上昇させる。抜取ユニットは、温度上昇ユニットと液体接続されており、被抜取成分の濃度を後に低減させる。濃度上昇ユニットおよび／または抜取ユニットは、例えば、熱力学的な相平衡の設定に基づいた分離効率を有する分離装置、または、膜分離装置として構成されていてもよい。例えば抽出器、吸収器、吸着器または濾過器／限外濾過器を使用してもよい。濃度上昇ユニットは、例えば濾過器、好ましくは限外濾過器として構成されていてもよい。膜装置が抜取ユニットである場合、この膜装置は、例えば透析器として構成されていてもよい。同様に、吸着器を抜取ユニットとして使用することは好ましい。
【００１６】
本発明の他の一観点では、装置は、血液、もしくは、１つまたは複数の血液成分を導く体外回路をさらに備え、この体外回路に、濃度上昇ユニットと抜取ユニットとが配置されていてもよい。
【００１７】
抜取ユニットの下流で体外回路に合流する線が、濃度上昇ユニットから枝分かれしていてもよい。この線は、被抜取成分の抜き取りの後、濃度上昇の際に分離された媒体、例えば、濾過液、を血液または血漿に供給する機能を果たしている。
【００１８】
置換媒体の源と液体接続されている線を、抜取ユニットの下流で体外回路に合流させてもよい。したがって、濃度上昇の際に分離された媒体を、血液／血漿に戻すのではなく、むしろ、置換液体によって置換することができる。
【００１９】
上記方法を組み合わせることも考えられる。
【００２０】
本発明の好ましい一観点では、体外回路は、第１回路と第２回路とを備え、第１回路は、患者と液体接続されている、または、患者と液体接続することができ、第２回路は、血漿濾過器を介して第１回路と接続されており、濃度上昇ユニットと抜取ユニットとを備えていてもよい。このような構造は、血漿濾過器を用いて血液から得た血漿に吸着療法を行うために機能する。この場合、本発明に基づいて、好ましくは限外濾過によって吸着前に濃度上昇を行う。
【００２１】
さらに、濃度上昇ユニットに透析液回路が接続されていてもよい、または、濃度上昇ユニットに透析液回路が接続可能であってもよい。限外濾過器の場合は、さらにこの限外濾過器を透析のために使用してもよい。この場合、血液または血漿は、膜の一方側において限外濾過器を流通し、透析液は、膜の他方側において限外濾過器を流通する。
【発明の効果】
【００２２】
本発明によれば、流体媒質の少なくとも１つの成分を抜き取るための方法および装置を、成分を抜き取る効率が上昇するように更に開発することができる。
【発明を実施するための最良の形態】
【００２３】
本発明の詳細および利点を、図に示す実施形態を参照して更に詳しく説明する。
【００２４】
図１に、溶液中の当該成分の濃度に応じて吸着器に吸着された量を再現するいわゆる吸着等温線を示す。
【００２５】
吸着器は、例えば、体外で血液浄化し、これに伴って、透析および血汲濾過によって除去できない物質を排除する機能を果たす。透析および血汲濾過は、透析器および血汲濾過器の排除限界を下回る分子量を有する水溶性の物質を除去する。この排除限界（６０ｋＤ未満）は、血液の主な蛋白質であるアルブミンが阻止されるように選択されている。
【００２６】
上記のように、吸着方法は、アルブミン結合している物質、または、分子量が高いせいで透析または血汲濾過では除去できない、または、十分には除去できない物質から血液を浄化する機能を果たす。分子量が高いので透析ではなく吸着によって除去される物質の例としては、ＬＤＬ（高コレステロール血症の治療）および免疫グロブリン（自己免疫疾患の治療、移植の事前治療）が挙げられる。アルブミン結合物質は、例えば、アルブミンと結合して血液中を伝送される不水溶性ビリルビンである。不水溶性ビリルビンを除去できるのは、例えば肝補助療法において使用される吸着プロセスだけである。
【００２７】
図１から分かるように、吸着器によって結合できる物質量は、溶液中の、例えば血液または血漿中の、被吸着物質の濃度に応じている。図１の吸着等温線から、濃度が高くなれば負荷も高くなる、すなわち、吸着器はより多くの量を結合できるということが分かる。曲線の強く上昇する部分の濃度では、濃度が上昇すると、特に、吸着量が大きく変化する。
【００２８】
吸着器を用いる治療の過程で、除去性能、すなわち、浄化値、の低下が観察される可能性がある。その１つの原因は、吸着器の負荷の増大である。しかしながら、たとえ吸着器の最大負荷に達する前であっても、浄化値は、非常に頻繁に大幅に下がった。なぜなら、流体媒質中の、例えば、血液または血清中の、被浄化物質の濃度が、吸着等温線の急勾配の範囲であったからであり、その結果、吸着量も少ない。
【００２９】
本発明の方法、または、本発明の装置は、液体中の、例えば、血液または血漿中の、被抜取物質または被吸着物質を、抜き取り前に濃縮することに基づいている。本発明の一実施形態では、吸着により抜き取りを行い、限外濾過により濃縮を行なう。このようにして、吸着器に高い濃度を与えるということが達成される。その結果、図１の吸着は、より効率的に行なわれる。なぜなら、濃縮により、吸着器はより高く負荷されるからである。
【００３０】
図２ａに、限外濾過および吸着の組み合わせ（「限外吸着」）のプロセス図を示す。図２から分かるように、体外回路１０は、第１回路１２と第２回路１４とを備えている。第１回路１２と第２回路１４との双方は、血漿濾過器２０によって互いに接続されている。血漿濾過器２０は、第１回路１２から流出する血液から血漿を除去する。血漿は、第２回路１４を循環する。
【００３１】
第１回路１２における血液は、血液ポンプ３０によって循環される。第２回路１４における血漿は、血漿ポンプ４０によって循環される。図２ａから分かるように、限外濾過器５０は第２回路１４に設けられている。限外濾過器５０の下流に、吸着器６０が設けられている。血漿の濃縮、つまり、被抜取成分（例えば、ビリルビン）の濃度の上昇は、限外濾過器５０によって行われる。したがって、吸着器６０には、濃縮された溶液が供給される。その結果、図１の吸着等温線に応じて吸着量がより高くなるので、被抜取成分がより効率的に分離される。
【００３２】
図２ａから更に分かるように、限外濾過時に限外濾過器５０において得られた限外濾過液は、ポンプと吸着器６０の下流の限外濾過線とによって第２回路１４へ戻される。それゆえ、容積は維持される。さらに、上記のようにすることで、吸着器６０において抜き取られない成分の少なくとも一部の濃度を全体的には変えないようにすることができる。すなわち、限外濾過器５０における濃度の上昇の後に、相当して希釈がなされる。濃度の変化が生じるかどうかは、本質的に、物質に応じている。
【００３３】
図２ａに示すシステムに代わって、図２ｂに示すように、第２回路１４における血漿を、第１回路１２へ直接再注輸することができる。
【００３４】
図２ｂに、図２ａに示すプロセス図の変形例（再注輸）を示す。第１回路１２と第２回路１４とは、上流においてのみ血漿濾過器２０によって分離されている。下流において、第２回路１４の血漿は、第１回路１２の全血に直接注輸される。この変形例は、図２ａに示す変形例と比べると、第１回路１２から第２回路１４へ転送される血漿の量を血漿ポンプ４０によって制御できる、という利点を有している。図２ａに示す方法（「再循環」）では、負荷される血漿を第１回路１２から第２回路１４へ、および、抜き取られる血漿を第２回路１４から第１回路１２へ伝送することは、単に受動的に行なわれ、血漿ポンプ４０の輸送率には本質的には関係がない。
【００３５】
図２ｂの方法変形例「再注輸」では、初期エラーすなわち「吸着カートリッジの漏れ」が生じる場合は、吸着器材料が患者の組織的な血液回路へ転送されないように、さらに安全対策が必要である。これらの安全対策は、ここでは別に図示していない。
【００３６】
図２ａ、図２ｂに示す構造に代わって、図３によれば、限外濾過液を破棄し、図３に示すように吸着器の下流において新たな置換溶液を加えることが考えられる。
【００３７】
したがって、除去された限外濾過液は、血液または血漿に戻されてもよいし、または、置換溶液によって置換されてもよい。両方の可能性を組み合わせることも考えられる。
【００３８】
図３に、２つの変形例「再循環および再注輸」を代替の流路として示す。この点については、図２ａおよび図２ｂについての上記説明が参照される。
【００３９】
図４は、限外濾過増幅された吸着の理論的効果を示す。ビリルビンと知られている吸着器とを用い、濃度を因数２だけ上昇させた場合の吸着量についての効果を図４に示す。血漿における濃度は８ｍｇ／ｄｌであり、ビリルビンが限外濾過によって１６ｍｇ／ｄｌに濃縮されるならば、吸着器は１０％多くのビリルビンを吸着できる。
【００４０】
図４から分かるように、ビリルビンの濃度が下がるにつれて吸着性能は上昇する。治療により血漿中の濃度が、例えば４ｍｇ／ｄｌに低減するならば、因数２による上昇により、吸着量は２０％増える。濃度が１ｍｇ／ｄｌから２ｍｇ／ｄｌに上昇する場合、この効果は５０％にもなる。
【００４１】
治療が、例えば肝補助療法でのように、透析による小粒子物質の排除も必要とするならば、限外濾過器を、透析と併用することも任意に可能である。このことを図２ａ、図２ｂおよび図３に示す。この場合、限外濾過器は、限外濾過器において分離されない成分の濃縮のために機能するだけでなく、血漿から小粒子物質を分離するためにも機能する。したがって、血漿は、膜の一方側において限外濾過器を流通し、透析液は、他方側において限外濾過器を流通する。
【００４２】
図５に、被抜取成分の濃縮についての上記の効果を証明するための試験用構成の図を示す。図５の構造の構成、および、その構造を用いた実験の実施は以下のように行なわれる。
【００４３】
それぞれＢＲ（ＢＲ＝ビリルビン）の濃度が１５ｍｇ／ｄｌであり、ＨＳＡ（ＨＳＡ＝ヒト血清アルブミン）の濃度が３０ｇ／ｌである１０００ｍｌのＢＲ／ＨＳＡ溶液を、吸着カートリッジを介して、ＱＢ＝２００ｍｌ／分の流量で、３時間循環させた。吸着カートリッジ１１０よりも前に高流量透析器１００による濾過によってＢＲ／ＨＳＡ溶液を濃縮した。図５に示すように、濾過液を、吸着カートリッジ１１０の後、回路に戻した。
【００４４】
異なる種類の濾過流量ＱＵＦで３実験行った。第１実験を、ＱＵＦ＝０ｍｌ／分で行った。第１実験は、対照実験としての役割を果たす。第２実験では、吸着器を通って導かれる溶液を因数２によって近似的に濃縮し、ＱＵＦ＝１００ｍｌ／分であった。第３実験では、因数４によって近似的に濃縮し、ＱＵＦ＝１５０ｍｌ／分であった。
【００４５】
まず、吸着カートリッジ１１０の充填容積の供給後にＢＲの濃度が１５ｍｇ／ｄｌとなりＨＳＡの濃度が３０ｇ／ｌとなるようなＢＲ／ＨＳＡ溶液を用意した。このため、まず、１５０ｍｇのＢＲを、２０ｍｌの０．１ＮのＮａＯＨに攪拌しながら溶解させた。ＢＲが完全に溶解してから、１５０ｍｌの２０％のＨＳＡ溶液を加え、室温で１時間攪拌した。続いて、７６０ｍｌの水溶液の０．０１Ｎのリン酸塩緩衝液（ｐＨ７．４）を、１１０ｍＭのＮａＣｌと共に追加し、水槽中で３７℃に加熱した。
【００４６】
実験の開始前に、吸着カートリッジ１１０を、１０００ｍｌの等張食塩溶液で洗浄した。なお、最後の約７０ｍｌは、吸着カートリッジ１１０に充填容積としてその都度残る。実験の開始時に、回路を吸着器カプセルの充填容積のレベルまでまず充填し、濾過液回路をＢＲ／ＨＳＡ溶液または濾過液によって充填した。そして、実験を開始し、吸着器１１０から出る溶液の黄変が最初に見られた時に第１サンプルを採取し、タイマーを０に設定した。図５に示すように、濃縮されていない回路の領域から吸着カートリッジの前後で１ｍｌのサンプルを１５分毎にそれぞれ採取した。最高の限外濾過流量ＱＵＦ＝１５０ｍｌ／分での第３実験では、最初の３０分間に５分毎にサンプルを採取した。
【００４７】
１０００ｍｌのＢＲ／ＨＳＡ溶液の組成は以下の通りである。
【００４８】
１５０ｍｇのビリルビン
２０ｍｌの０．１ＮのＮａＯＨ
１５０ｍｌの２０％のＨＳＡ溶液
１１０ｍＭのＮａＣｌを有し、ｐＨ７．４である、７６０ｍｌの水性の０．０１Ｎのリン酸塩緩衝液
約７０ｍｌの等張のＮａＣｌ溶液（吸着器の充填容積）
１１０ｍＭのＮａＣｌを有する２０００ｍｌの０．０１Ｎのリン酸塩緩衝液の組成は以下のとおりである。
【００４９】
０．５０２ｇのＮａＨ２ＰＯ４Ｈ２Ｏ
５．８６０ｇのＮａ２ＨＰＯ４Ｈ２Ｏ
１２．８６０ｇのＮａＣｌ
２０００ｍｌのＨ２Ｏ
図６に、吸着カートリッジの前で採取したサンプルのビリルビン濃度を実験期間に応じて示す。時間ｔ＝０分において１５ｍｇ／ｄｌのビリルビンの論理的な開始濃度の値を使用した。測定時間は使用しなかった。なぜなら、ｔ＝０の時点では、ＢＲ／ＨＳＡ溶液と、吸着器１１０中のＮａＣｌ溶液とが未だ十分に混合されていないからである。
【００５０】
図６から分かるように、濃度が上がるにつれて、すなわち、限外濾過流量が上がるにつれて、ビリルビン濃度の低減が明らかに加速する、すなわち、吸着前の濃縮により浄化性能が向上する、ということを認識できる。図７に、吸着カートリッジ１１０の前で採取したサンプルのビリルビン濃度に応じた図６の結果に基づくビリルビンについての浄化値を示す。時間的に初期にサンプルから計算された浄化値は考慮しない。なぜなら、ＢＲ／ＨＳＡ溶液と吸着器１１０の充填容積のＮａＣｌ溶液との混合物は未だ存在しないからである。指数関数を用いて値を第１桁で適合した。
【００５１】
図６の実験結果によれば、限外濾過流量、すなわち、被抜取種の濃度が上がるにつれて、吸着器の浄化値、すなわち、吸着器の浄化性能が上昇するということが分かる。
【産業上の利用可能性】
【００５２】
本発明の方法および本発明の装置は、一般的に、医用工学以外の任意の抜取プロセスに使用することができ、医用工学の範囲においても使用することができる。考えられる用途としては、吸着プロセスや、透析などの他の抜取プロセスが挙げられる。
【図面の簡単な説明】
【００５３】
【図１】成分の吸着量を液中の該成分の濃度の関数として示す吸着等温線図である。
【図２ａ】限外濾過液を戻す「限外吸着」のプロセス図である。
【図２ｂ】限外濾過液を戻す「限外吸着」のプロセス図である。
【図３】新たな置換溶液を供給する「限外吸着」のプロセス図である。
【図４】吸着等温線図を参照して限外濾過増幅された吸着の効果を説明する図である。
【図５】成分を除去する前に該成分の濃度を上昇させることの効果を判定する実験用構成の概略図である。
【図６】異なる限外濾過流量について時間に応じたビリルビン濃度を示す図である。
【図７】異なる限外濾過流量についてビリルビン濃度に応じたビリルビン浄化値を示す図である。
【図１】
2008519622.tif 000003
【図２ａ】
2008519622.tif 000004
【図２ｂ】
2008519622.tif 000005
【図３】
2008519622.tif 000006
【図４】
2008519622.tif 000007
【図５】
2008519622.tif 000008
【図６】
2008519622.tif 000009
【図７】
2008519622.tif 000010
【国際調査報告】
2008519622.tif 000011
2008519622.tif 000012
2008519622.tif 000013
2008519622.tif 000014
2008519622.tif 000015
2008519622.tif 000016
2008519622.tif 000017
2008519622.tif 000018
2008519622.tif 000019
2008519622.tif 000020